(57)【要約】【課題】  波長変換の回数をモニタしなくても、データを伝送できるようにする。【解決手段】  光送信装置（１１０）のフレーム化装置（１１４）は、送信すべきデータのフレームに論理判定用ビットパターンを埋め込み、強度変調器（１１６）が、フレーム化装置（１１４）の出力電気信号に従いレーザ（１１２）の出力レーザ光を強度変調する。光受信装置（１４０）の受光器（１４４）及び弁別器（１４６）は、光ネットワーク（１２０）からの光信号を受光及び２値弁別する。論理判定装置（１４８）は、論理判定用ビットパターンにより論理反転の有無を判定する。論理反転がある場合には、論理反転装置（１５４）が受信データの論理を反転する。【選択図】  図３
2011120297.tif 000002
【特許請求の範囲】
【請求項１】
強度変調された光信号のマーク／スペースを反転する１以上の波長変換器（１２２ａ，１２４ａ，１２６ａ）を経由する光ネットワーク（１２０）を介してデータを伝送する方法であって、
当該データを搬送するフレームに論理判定用ビットパターンを埋め込んだ光信号を生成して当該光ネットワークに出力するステップと、
当該光ネットワークからの当該光信号を電気信号に変換するステップと、
当該電気信号から当該論理判定用ビットパターンにより論理反転の有無を判定するステップと、
論理反転がある場合には、当該電気信号の論理を反転するステップ
とを具備することを特徴とするデータ伝送方法。
【請求項２】
強度変調された光信号のマーク／スペースを反転する１以上の波長変換器（２２ａ，２４ａ，２６ａ）を有する光ネットワーク（２０）と、
データを搬送する信号光を当該光ネットワークに出力する光送信装置と、
当該光ネットワークからの光信号から当該データを受信する光受信装置
とを具備するデータ伝送システムであって、
当該光送信装置が、当該データを搬送するフレームに論理判定用ビットパターンを埋め込んだ光信号を生成して当該光ネットワークに出力することと、
当該光受信装置が、
当該光ネットワークからの当該光信号を電気信号に変換する受光器（１４４）と、
当該電気信号から当該論理判定用ビットパターンにより論理反転の有無を判定する論理判定手段（１４８）と、
当該論理判定手段の判定結果に従い、論理反転がある場合には、当該電気信号の論理を反転し、論理反転が無い場合には、当該電気信号をそのまま出力する出力回路（１５０，１５２，１５４）とを具備すること
を特徴とするデータ伝送システム。
【請求項３】
当該光送信装置（１１０）が、当該データを搬送するフレームに当該論理判定用ビットパターンを埋め込むフレーム化装置（１１４）と、当該フレーム化装置（１１４）の出力電気信号に応じて当該光信号を生成する光信号発生装置（１１２，１１６）とを具備することを特徴とする請求項２に記載のデータ伝送システム。
【請求項４】
送信すべきデータを搬送するフレームに論理判定用ビットパターンを埋め込むフレーム化装置（１１４）と、
当該フレーム化装置（１１４）の出力電気信号に応じて当該光信号を生成する光信号発生装置（１１２，１１６）
とを具備することを特徴とする光送信装置。
【請求項５】
当該光信号発生装置が、レーザ光源（１１２）と、当該フレーム化装置（１１４）の出力電気信号に応じて当該レーザ光源（１１２）の出力レーザ光の強度を変調する強度変調器（１１６）とを具備することを特徴とする請求項４に記載の光送信装置。
【請求項６】
強度変調された光信号のマーク／スペースを反転する１以上の波長変換器（１２２ａ，１２４ａ，１２６ａ）を経由して入力する、論理判定用ビットパターン付きの光信号を電気信号に変換する受光器（１４４）と、
当該電気信号から当該論理判定用ビットパターンにより論理反転の有無を判定する論理判定手段（１４８）と、
当該論理判定手段の判定結果に従い、論理反転がある場合には、当該電気信号の論理を反転し、論理反転が無い場合には、当該電気信号をそのまま出力する出力回路（１５０，１５２，１５４）
とを具備することを特徴とする光受信装置。
【請求項７】
当該出力回路が、論理反転回路（１５４）と、当該論理判定手段の判定結果に従い、論理反転がある場合には、当該電気信号を当該論理反転回路（１５４）に供給し、論理反転が無い場合には、迂回路に供給する第１のセレクタ（１５０）とを具備することを特徴とする請求項６に記載の光受信装置。
【請求項８】
当該出力回路が更に、当該論理判定手段の判定結果に従い、論理反転がある場合には、当該論理反転回路（１５４）の出力を選択し、論理反転が無い場合には、当該迂回路からの信号を選択する第２のセレクタ（１５２）を具備することを特徴とする請求項７に記載の光受信装置。
【発明の詳細な説明】
【技術分野】
【０００１】
本発明は、データ伝送方法及びシステムに関し、より具体的には、全光波長変換が介在し得る経路が存在する光ネットワークを使用するデータ伝送方法及びシステム、光送信装置並びに光受信装置に関する。
【背景技術】
【０００２】
光信号を電気信号に変換せずに光信号のまま伝送することで、途中のノードでは光−電気−光（ＯＥＯ）変換が不要になり、ノードの構成が簡素化でき、消費電力を低減でき、装置寸法を小さくできる。また、伝送データを電気的メモリに蓄積しないので、外部からデータを盗聴することが困難であり、セキュリティに優れる。
【０００３】
全光化ネットワークでは全光波長変換回路が必要になる。波長多重化された全光化ネットワークで波長変換機能が用意されていない場合、エンド・ツー・エンドで同じ波長チャネルを用いて接続（コネクション）しなくてはならない。しかし、多数のコネクションが輻輳すると、送信側と受信側で波長を一致させることが難しくなり、コネクションを失敗する確率が上がる。波長変換機能を適宜に配置することで、リンクの空き波長チャネルを有効利用してコネクションを確立することができ、このようなコネクションの失敗は無くなる。全光波長変換器を用いれば、ＯＥＯ変換も不要になる。
【０００４】
このように、全光波長変換を利用する全光化ネットワークでは、収容できるコネクション数を大幅に増やすことができる。また、ネットワーク全体の波長チャネル利用効率が向上し、より無駄の少ないネットワークが構築できる。
【０００５】
全光化ネットワークでは、全光信号再生装置が必要である。光信号は、長距離伝送すると、光増幅器の雑音の蓄積、並びに、光ファイバの波長分散及び非線形性による波形歪みより、信号対雑音比（ＳＮＲ）が劣化する。これを回復するには、光信号を光信号のまま再生する全光信号再生装置が必要である。全光再生装置は通常、全光波長変換装置を２段、シリアルに配置することで実現される。信号光を維持する必要が無ければ、１つの全光波長変換装置における波長変換の際に同時に、光信号を光のまま再生する。
【０００６】
このような用途の全光波長変換装置として、半導体光増幅器（ＳＯＡ）の相互位相変調（ＸＰＭ）又は相互利得変調（ＸＧＭ）を利用した構成が知られている。低光パワーで動作し、小さい寸法で実現できるという長所を具備する。
【０００７】
ＳＯＡのＸＧＭを利用する全光波長変換装置は、入力信号光の光強度によりＳＯＡの利得を変調し、その変調される利得で別波長のＣＷプローブ光の光強度を変調する構成からなり、原理的に、出力信号波形が入力信号波形を反転した波形になる。即ち、２進値を搬送する入力信号光のマーク又はハイ（High）が、出力信号光ではスペース又はロー（Low）になり、入力信号光のスペース又はロー（Low）が出力信号光ではマーク又はハイ（High）で表現される。論理的には、入力信号光では、論理値１がマーク又はハイ（High）で表現され、論理値０がスペース又はロー（Low）で表現されるとすると、出力信号光では、論理値１がスペース又はロー（Low）で表現され、論理値０がマークまたはハイ（High）で表現されるという論理反転動作になる。
【０００８】
これに対し、ＳＯＡのＸＰＭを利用する全光波長変換装置は、マッハツェンダ干渉計の両アーム上にＳＯＡを配置し、一方のＳＯＡには信号光と信号光とは異なる波長のＣＷプローブ光を入力し、他方のＳＯＡにはプローブ光のみを入力し、両ＳＯＡから出力されるプローブ光を合波する構成からなり、一方のアーム上に配置する位相調整器により論理反転動作と論理保持動作を選択できる。ただし、論理保持動作時には、ＳＯＡ中のＸＰＭを誘起する際に同時に起こるＸＧＭの影響によって、論理反転動作時よりも出力レベルが低下する。例えば、πのＸＰＭ位相シフトを起こすために必要な光パワーレベル（マークレベル）のデータ光を入射した時に、ＳＯＡの利得飽和特性に従うＸＧＭによる利得低下が３ｄＢであったとすると、論理保持動作時のマークレベルのパルス高さは、論理反転動作時よりも約３７％低下する。即ち、ＳＯＡのＸＰＭを利用する全光波長変換装置では、論理反転動作のほうが、論理保持動作時よりも優れた入出力特性が得られる。
【０００９】
以上のことから、ＳＯＡを使用する全光波長変換装置は、論理反転動作させることが好ましい。
【先行技術文献】
【特許文献】
【００１０】
【特許文献１】特開２００６−６０８６３号公報
【特許文献２】特開平８−８８２２号公報
【特許文献３】特開２００５−３２８４４９号公報
【発明の概要】
【発明が解決しようとする課題】
【００１１】
全光波長変換を伴う全光化ネットワークでは、同一のエンド・ツー・エンドコネクションであっても、ネットワークの状況によって途中で全光波長変換の回数が変動する可能性がある。
【００１２】
上述のように、全光波長変換装置は、論理反転モードで動作させるのが望ましい。その場合、全光波長変換の回数が０回以上の偶数回であれば、光受信装置には、論理保持された光信号が入力するが、全光波長変換の回数が１回以上の奇数回であれば、光受信装置には、論理反転した光信号が入力する。論理保持された光信号の受信を予定する光受信装置は、論理反転した光信号から信号を復元できない。
【００１３】
ネットワークの中で全光波長変換を何回経過したかを計数し、奇数回の場合には、受信側で、論理反転処理を施すことが考えられる。しかし、多数のコネクション全てに関して全光波長変換の回数を収集し、各受信装置に正しく伝達するには、多くの制御情報を多数のノード及びエンドの間で交換する必要がある。ネットワークの規模が大きくなると、制御情報が輻輳する危険性が大きい。
【００１４】
さらに、途中経路における障害などの理由により第２の経路に切り替えたとき、第２の経路において全光波長変換を経過した回数を受信側で直ちに判定できないと、経路切り替え後に正しくデータを復元するまでに、遅延が発生してしまう。これにより、迅速な障害復旧が妨げられる。第２の経路を予め決定しておくことでこの問題を回避することはできるが、復旧のために予約された経路の利用効率が低下すると予測される。
【００１５】
本発明は、このような制御情報とその伝送の必要無しに、また経路変更があったとしても遅滞することなく、信号を正しく伝送できるデータ伝送方法及びシステム、光送信装置並びに光受信装置を提示することを目的とする。
【課題を解決するための手段】
【００１６】
本発明に係るデータ伝送方法は、強度変調された光信号のマーク／スペースを反転する１以上の波長変換器を経由する光ネットワークを介してデータを伝送する方法であって、当該データを搬送するフレームに論理判定用ビットパターンを埋め込んだ光信号を生成して当該光ネットワークに出力するステップと、当該光ネットワークからの当該光信号を電気信号に変換するステップと、当該電気信号から当該論理判定用ビットパターンにより論理反転の有無を判定するステップと、論理反転がある場合には、当該電気信号の論理を反転するステップとを具備することを特徴とする。
【００１７】
本発明に係るデータ伝送システムは、強度変調された光信号のマーク／スペースを反転する１以上の波長変換器を有する光ネットワークと、データを搬送する信号光を当該光ネットワークに出力する光送信装置と、当該光ネットワークからの光信号から当該データを受信する光受信装置とを具備するデータ伝送システムであって、当該光送信装置が、当該データを搬送するフレームに論理判定用ビットパターンを埋め込んだ光信号を生成して当該光ネットワークに出力することと、当該光受信装置が、当該光ネットワークからの当該光信号を電気信号に変換する受光器と、当該電気信号から当該論理判定用ビットパターンにより論理反転の有無を判定する論理判定手段と、当該論理判定手段の判定結果に従い、論理反転がある場合には、当該電気信号の論理を反転し、論理反転が無い場合には、当該電気信号をそのまま出力する出力回路とを具備することを特徴とする。
【００１８】
本発明に係る光送信装置は、送信すべきデータを搬送するフレームに論理判定用ビットパターンを埋め込むフレーム化装置と、当該フレーム化装置の出力電気信号に応じて当該光信号を生成する光信号発生装置とを具備することを特徴とする。
【００１９】
本発明に係る光受信装置は、強度変調された光信号のマーク／スペースを反転する１以上の波長変換器を経由して入力する、論理判定用ビットパターン付きの光信号を電気信号に変換する受光器と、当該電気信号から当該論理判定用ビットパターンにより論理反転の有無を判定する論理判定手段と、当該論理判定手段の判定結果に従い、論理反転がある場合には、当該電気信号の論理を反転し、論理反転が無い場合には、当該電気信号をそのまま出力する出力回路とを具備することを特徴とする。
【発明の効果】
【００２０】
本発明によれば、強度変調された光信号のマーク／スペースを反転する波長変換器を経由する回数に関わらす、データを正しく受信できる。しかも、光送信装置及び光受信装置の構成は簡略なもので済むので、安価に実現できる。
【図面の簡単な説明】
【００２１】
【図１】本発明の第１実施例の概略構成ブロック図である。
【図２】第１実施例の波形例である。
【図３】本発明の第２実施例の概略構成ブロック図である。
【図４】論理判定用ビットパターンの波形例である。
【発明を実施するための形態】
【００２２】
以下、図面を参照して、本発明の実施例を詳細に説明する。
【実施例１】
【００２３】
図１は、本発明の一実施例の概略構成ブロック図を示す。光送信装置１０は、レーザ光源１２、ＮＲＺ（Non-Return-to-Zero）形式の入力データＤｉｎをＮＲＺＩ（Non-Return-to-Zero Inversion）形式に変換するＮＲＺ／ＮＲＺＩ変換器１４、変換器１４から出力されるＮＲＺＩ形式のデータ信号に従い、レーザ光源１２の出力光の強度を変調する強度変調器１６、及び、強度変調器１６の出力光を光増幅する光アンプ１８を具備する。
【００２４】
送信データＤｉｎは、図２（ａ）に示すＮＲＺ形式であり、ＮＲＺ／ＮＲＺＩ変換器１２は、ＮＲＺ形式を図２（ｂ）又は（ｃ）に示すＮＲＺＩ形式に変換する。ＮＲＺＩ形式は、遷移の有無で２進値を表現する形式であり、例えば、図２（ｂ），（ｃ）に示すように、２進値１に対してＬからＨ又はＨからＬに遷移し、２進値０に対して、レベルを保持する。勿論、２進値０に対してレベルを遷移し、２進値１に対してレベルを保持してもよい。このようなＮＲＺ／ＮＲＺＩ変換器１２はまた、出力値が隣接する２ビットに依存するので、差分符号化回路とも呼ばれる。
【００２５】
レーザ光源１２は、連続（ＣＷ）レーザ光を光強度変調器１６に出力する。光強度変調器１６は変換器１４からのＮＲＺＩデータ信号に従い、レーザ光源１２からのＣＷレーザ光の強度を変調する。光アンプ１８は、光強度変調器１６の出力信号光を光増幅し、光ネットワーク２０に出力する。
【００２６】
光強度変調器１６は、図２（ａ）に示すようなデータＤｉｎに対して、図２（ｂ）又は（ｃ）に示すような波形の光信号を出力する。なお、図２（ｂ），（ｃ）では、ビット値と遷移の関係を理解しやすいように、遷移をビット期間の中央に配置しているが、遷移をビット期間の開始点に配置してもよいことは明らかである。即ち、半ビット期間の遅延は必須ではない。
【００２７】
光ネットワーク２０は、複数の光中継装置２２，２４，２６を具備し、各光中継装置２２，２４，２６は、入力信号光の波長を変換すると共に、そのマーク／スペースを反転する波長変換器２２ａ，２４ａ，２６ａを具備する。光ネットワーク２０は、光送信装置１０から出力される光信号を、その利用状況に応じて異なる経路を経て、光受信装置４０まで伝送する。光ネットワーク２０は、実際には、より多くの波長変換を経由する多くのルートを選択可能な、より複雑な構成から成る。
【００２８】
図１に示す実施例では、光中継装置２２、光伝送路２８及び光中継装置２４を経由するルート１と、光中継装置２２，光伝送路３０、光中継装置２６、光伝送路３２及び光中継装置２４を経由するルート２を選択できる。ルート１では、光信号は、光中継装置２２，２４の波長変換器２２ａ，２４ａによる２回の論理反転を受けるので、結局、光受信装置４０に入力する光信号のマーク／スペースは、光送信装置１０から出力される光信号のマーク／スペースと同じになっている。ところが、ルート２では、光信号は、光中継装置２２，２４，２６の波長変換器２２ａ，２４ａ，２６ａによる３回の論理反転を受けるので、結局、光受信装置４０に入力する光信号のマーク／スペースは、光送信装置１０から出力される光信号マーク／スペースを反転したものになっている。
【００２９】
本実施例では、遷移符号を用いることで、どちらのルートを伝搬しても、即ち、波長変換の回数に関わらず、光受信装置４０は、データを受信できる。遷移符号は、マーク／スペースの反転の影響を受けないからである。
【００３０】
光受信装置４０の光アンプ４２は、光中継装置２４からの光信号を光増幅し、受光器４４は、光アンプ４２の出力信号光を電気信号に変換する。２値弁別回路４６は、受光器４４の出力電気信号を２値弁別する。２値弁別回路４６の出力信号は、図２（ｂ）又は（ｃ）に相当する。ＮＲＺＩ／ＮＲＺ変換器４８は、２値弁別回路４６の弁別結果をＮＲＺＩ形式からＮＲＺ形式に変換する。即ち、ＮＲＺＩ／ＮＲＺ変換器４８は、２値弁別回路４６の出力電気信号が図２（ｂ）に示す波形であっても、図２（ｃ）に示す波形であっても、図２（ａ）に示す同じＮＲＺ形式のデータ信号を出力する。ＮＲＺＩ／ＮＲＺ変換器４８の出力データＤｏｕｔは、ルート１，２のどちらを経由しても、データＤｉｎに一致する。
【００３１】
ＮＲＺＩ／ＮＲＺ変換器４８のように、ＮＲＺＩ形式をＮＲＺ形式に変換する回路は、微分符号化回路とも呼ばれる。この回路は、入力値がＬからＨ又はＨからＬに遷移したときに、マーク（又はスペース）を出力し、入力値がＬのまま又はＨのままのときに、スペース（又はマーク）を出力する論理回路で実現される。
【００３２】
この実施例では、論理判定のための余分なビットを送信する必要がないので、例えば回線交換型の全光化ネットワークにおいてより有効である。光送信装置１０及び光受信装置４０に追加される構成は簡略なもので済むので、安価に実現できる。
【実施例２】
【００３３】
図３は、本発明の第２実施例の概略構成ブロック図を示す。本実施例では、光送信装置が出力する光信号に予め、光受信装置で正論理／負論理を判定可能にする論理判定用ビットパターンを付加する。
【００３４】
光送信装置１１０は、レーザ光源１１２、ＮＲＺ形式の入力データＤｉｎを出伝送フレーム化し、その際に、プリアンブルとペイロードの間に論理判定用ビットパターンを埋め込むフレーム化回路１１４、フレーム化回路１１４から出力されるデータフレームに従い、レーザ光源１１２の出力光の強度を変調する強度変調器１１６、及び、強度変調器１１６の出力光を光増幅する光アンプ１１８を具備する。フレーム化回路１１４は、論理判定用ビットパターンを発生する論理判定用ビットパターン発生回路１１４ａを具備する。
【００３５】
フレーム化回路１１４は、送信データＤｉｎをペイロードに埋め込んだデータフレームを生成する。その際、図４（ａ）に示すように、プリアンブルとペイロードの間に、論理判定用ビットパターン発生回路１１４ａの発生する論理判定用ビットパターンを埋め込む。この実施例では、論理判定ビットパターンは、６ビットの”１１１０００”からなる。論理判定ビットパターンは、ペイロードと誤認しないビットパターンであればよい。Ｈのビット数とＬのビット数を同じにしなくてもよい。
【００３６】
例えば、途中の光ネットワーク１２０で論理が反転する場合、即ち、奇数回の波長変換を経由する場合、論理判定ビットパターンは、図４（ｂ）のようになり、３ビットのＬの後に３ビットのＨが続く。これに対し、途中の光ネットワーク１２０で論理が反転しない場合、即ち、偶数回の波長変換を経由する場合には、図４（ａ）のようになる。
【００３７】
レーザ光源１１２は、連続（ＣＷ）レーザ光を光強度変調器１１６に出力する。光強度変調器１１６はフレーム化回路１１４からのデータフレームに従い、レーザ光源１１２からのＣＷレーザ光の強度を変調する。光アンプ１１８は、光強度変調器１１６の出力信号光を光増幅し、光ネットワーク１２０に出力する。
【００３８】
光ネットワーク１２０は、複数の光中継装置１２２，１２４，１２６を具備し、各光中継装置１２２，１２４，１２６は、入力信号光の波長を変換すると共に、そのマーク／スペースを反転する波長変換器１２２ａ，１２４ａ，１２６ａを具備する。光ネットワーク１２０は、光送信装置１１０から出力される光信号を、その利用状況に応じて異なる経路を経て、光受信装置１４０まで伝送する。光ネットワーク１２０は、実際には、より多くの波長変換を経由する多くのルートを選択可能な、より複雑な構成から成る。
【００３９】
図３に示す実施例では、図１に示す実施例と同様に、光中継装置１２２、光伝送路１２８及び光中継装置１２４を経由するルート１と、光中継装置１２２，光伝送路１３０、光中継装置１２６、光伝送路１３２及び光中継装置１２４を経由するルート２を選択できる。ルート１では、光信号は、光中継装置１２２，１２４の波長変換器１２２ａ，１２４ａによる２回の論理反転を受けるので、結局、光受信装置１４０に入力する光信号のマーク／スペースは、光送信装置１１０から出力される光信号のマーク／スペースと同じになっている。ところが、ルート２では、光信号は、光中継装置１２２，１２４，１２６の波長変換器１２２ａ，１２４ａ，１２６ａによる３回の論理反転を受けるので、結局、光受信装置１４０に入力する光信号のマーク／スペースは、光送信装置１１０から出力される光信号マーク／スペースを反転したものになっている。
【００４０】
本実施例では、先に説明したように、論理判定用ビットパターンを埋め込んで伝送することで、光受信装置１４０は、入力信号光の論理が光ネットワーク１２０において最終的に反転されているか否かを判別できる。
【００４１】
光受信装置１４０の光アンプ１４２は、光中継装置１２４からの光信号を光増幅し、受光器１４４は、光アンプ１４２の出力信号光を電気信号に変換する。２値弁別回路１４６は、受光器１４４の出力電気信号を２値弁別する。２値弁別回路４６の出力信号は、論理判定回路１４８とセレクタ１５０に印加される。
【００４２】
論理判定回路１４８は、２値弁別回路１４６の出力信号の論理判定用ビットパターンから、論理反転の有無を判定する。論理判定用ビットパターンが、図４（ａ）に示すパターンであれば、論理は反転されていないことになり、弁別回路１４６の出力信号が、データＤｉｎを搬送している。これとは異なり、論理判定用ビットパターンが、図４（ｂ）に示すパターンであれば、論理が反転していることになり、論理反転が必要になる。本実施例では、セレクタ１５０，１５２及び論理反転回路１５４により、この切替えを実現する。
【００４３】
セレクタ１５０の一方の選択端子Ａは、セレクタ１５２の一方の選択端子Ａに接続し、セレクタ１５０の他方の選択端子Ｂは、論理反転回路１５４に接続する。論理反転回路１５４の出力は、セレクタ１５２の他方の選択端子Ｂに接続する。セレクタ１５０，１５２は、論理判定回路１４８の判定結果により連動して制御される。即ち、論理判定回路１４８は、図４（ａ）に示す論理判定用ビットパターンを検出すると、セレクタ１５０，１５２が共に選択端子Ａに接続するようにセレクタ１５０，１５２を制御し、図４（ｂ）に示す論理判定用ビットパターンを検出すると、セレクタ１５０，１５２が共に選択端子Ｂに接続するようにセレクタ１５０，１５２を制御する。
【００４４】
このようなセレクタ１５０，１５２の制御の結果、光ネットワーク１２０で最終的に論理反転が起こっている場合、即ち、奇数回の波長変換を経由している場合には、論理反転回路１５４が弁別回路１４６の出力信号の論理（マーク／スペース）を反転し、光ネットワーク１２０で最終的に論理反転が起こっていない場合、即ち、偶数回の波長変換を経由している場合には、弁別回路１４６の出力信号が受信信号Ｄｏｕｔとしてそのまま出力される。必要であれば、受信信号ＤｏｕｔのペイロードからデータＤｉｎのみを抽出する。
【００４５】
このように、本実施例によれば、光受信装置１４０は、光ネットワーク１２０で最終的に論理反転が起こっているか否かを判別でき、適切な論理でデータを受信できる。即ち、光ネットワーク１２０内の経路に依存する波長変換の回数を計数しなくてもよい。光送信装置及び光受信装置の双方における符号変換も不要になる。
【００４６】
この実施例は、例えば光バースト（パケット）スイッチング型の全光化ネットワークにおいて、より有効である。光バースト（パケット）信号は、通常、プリアンブルとペイロードの間にフレーム開始を表す信号ＳＦＤ（Start Frame Delimiter）を挿入するが、この部分を、論理判定用の特定ビットパターンとしておくことにより、論理の正負を容易に判定することができる。光送信装置１１０及び光受信装置１４０に追加される構成は簡略なもので済むので、安価に実現できる。
【００４７】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【符号の説明】
【００４８】
１０：光送信装置
１２：レーザ光源
１４：ＮＲＺ／ＮＲＺＩ変換器
１６：強度変調器
１８：光アンプ
２０：光ネットワーク
２２，２４，２６：光中継装置
２２ａ，２４ａ，２６ａ：波長変換器
２８，３０，３２：光伝送路
４０：光受信装置
４２：光アンプ
４４：受光器
４６：２値弁別回路
４８：ＮＲＺＩ／ＮＲＺ変換器
１１０：光送信装置
１１２：レーザ光源
１１４：フレーム化回路
１１４ａ：論理判定用ビットパターン発生回路
１１６：強度変調器
１１８：光アンプ
１２０：光ネットワーク
１２２，１２４，１２６：光中継装置
１２２ａ，１２４ａ，１２６ａ：波長変換器
１２８，１３０，１３２：光伝送路
１４０：光受信装置
１４２：光アンプ
１４４：受光器
１４６：２値弁別回路
１４８：論理判定回路
１５０，１５２：セレクタ
１５４：論理反転回路
【図１】
2011120297.tif 000003
【図２】
2011120297.tif 000004
【図３】
2011120297.tif 000005
【図４】
2011120297.tif 000006